(57)【要約】【課題】  受信機の安全性が損なわれた際も暗号化技術を保護する。【解決手段】  送信側おいて、暗号化されたオリジナルデータＣ１・Ｋ１を復号化して得られる再生用データＣ１に対して一部のデータを加工し、加工した再生用データＣ１’を生成し、上記加工した再生用データＣ１’に少なくとも一つの暗号化技術を用いて暗号化処理を施し、再暗号化された伝送データＣ１’・Ｋ２として受信側に伝送する。【選択図】        図３
2005151529.tif 000002
【特許請求の範囲】
【請求項１】
入力される第１の暗号化方式で暗号化されたソースデータを受信装置が復号可能なデータ形式で伝送するデータ伝送方法であって、
上記入力されるソースデータに施された第１の暗号化方式の暗号を復号するステップと、
上記ステップで復号されたソースデータの所定の位置のデータに所定の処理を行うステップと、
上記受信装置が復号可能なデータ形式に上記所定の位置のデータに所定の処理が行われたソースデータを上記第１の暗号化方式とは異なる第２の暗号化方式で暗号化するステップと、
上記第２の暗号化方式で暗号化されたデータを上記受信装置へ送信するステップと
を有するデータ伝送方法。
【請求項２】
上記所定の処理が行われる上記所定位置のデータは、上記受信装置において上記ソースデータの再生に関与しないデータであることを特徴とする請求項１記載のデータ伝送方法。
【請求項３】
上記復号されたソースデータの所定の位置のデータに行う所定の処理は、他のデータへの置き換えであることを特徴とする請求項１記載のデータ伝送方法。
【請求項４】
上記復号されたソースデータの所定の位置のデータに行う所定の処理は、所定位置データの除去あることを特徴とする請求項１記載のデータ伝送方法。
【請求項５】
予約領域などの未使用領域を持つフォーマット準拠のデータに対して、上記受信装置で必要とならない一部のデータを加工し、上記第２の暗号化方式で暗号化処理を施すことを特徴とする請求項１記載のデータ伝送方法。
【請求項６】
入力される第１の暗号化方式で暗号化されたソースデータを受信装置が復号可能なデータ形式で伝送するデータ伝送装置であって、
上記入力されるソースデータに施された第１の暗号化方式の暗号を復号する復号手段と、
上記復号手段で復号されたソースデータの所定の位置のデータに所定の処理を行うデータ処理手段と、
上記受信装置が復号可能なデータ形式に上記所定の位置のデータに所定の処理が行われたソースデータを上記第１の暗号化方式とは異なる第２の暗号化方式で暗号化する暗号化手段と、
上記第２の暗号化方式で暗号化されたデータを上記受信装置へ送信する送信手段と
を備えるデータ伝送装置。
【請求項７】
上記所定の処理が行われる上記所定位置のデータは、上記受信装置において上記ソースデータの再生に関与しないデータであることを特徴とする請求項６記載のデータ伝送装置。
【請求項８】
上記復号されたソースデータの所定の位置のデータに行う所定の処理は、他のデータへの置き換えであることを特徴とする請求項６記載のデータ伝送装置。
【請求項９】
上記復号されたソースデータの所定の位置のデータに行う所定の処理は、所定位置データの除去あることを特徴とする請求項６記載のデータ伝送装置。
【請求項１０】
予約領域などの未使用領域を持つフォーマット準拠のデータに対して、上記受信装置で必要とならない一部のデータを加工し、上記第２の暗号化方式で暗号化処理を施すことを特徴とする請求項６記載のデータ伝送装置。
【請求項１１】
入力される暗号化されたソースデータに施された第１の暗号化方式の暗号を復号し、上記復号されたソースデータの所定の位置のデータに所定の処理を行ったのち、上記所定の処理が行われたソースデータを上記第１の暗号化方式とは異なる第２の暗号化方式で暗号化して送信された暗号化再生データを受信して再生するデータ受信装置であって、
上記暗号化再生データを受信する受信手段と、
上記ソースデータを再生する再生手段と、
上記受信手段で受信された暗号化再生データの暗号を復号する復号手段と、
上記復号手段で復号された再生データの一部に施された所定の処理を検出する検出手段と、
上記検出手段により検出された処理部分に上記再生手段が再生可能な上記ソースデータに略同一の再生データを生成して上記再生手段に供給する再生データ補完手段と
を備えるデータ受信装置。
【請求項１２】
上記再生データの一部に施された処理の処理は、上記ソースデータの一部を除去する処理であることを特徴とする請求項１１記載のデータ受信装置。
【発明の詳細な説明】
【技術分野】
【０００１】
本発明は、暗号化されたデータを復号化し、送信時に再びその伝送系にて有効な暗号化処理を施して送信側から受信側に伝送を行い、受信側がそのデータをその伝送時のみ有効な復号化を行うことにより平文を得るデータ伝送システムにおけるデータ伝送方法、データ伝送装置及びデータ受信装置に関する。
【背景技術】
【０００２】
従来、映像コンテンツや音楽などのオーディオコンテンツをデジタルデータとして記録媒体に格納して提供することが一般に行われている。そして、比較的高品質のデータを復元できる圧縮方式を使用している場合には、データを暗号化しておくことによって、記録／再生されるオーディオや映像等の著作権を保護するようにしている。
【０００３】
また、昨今の情報技術の革新に伴い、映像やオーディオなど、さまざまなメディアがデジタル化されたコンテンツとしてコンピュータなどの情報機器上で取り扱われるようになってきている。さらに、情報通信技術の発達により、これらコンテンツを、衛星や地上波などの放送、あるいはインターネットのような広域的なネットワークを利用して、配信することができる。
【０００４】
映像コンテンツやオーディオコンテンツの配信は、一部で既に実施されており、コンテンツ配信技術によれば、旧来の商品流通経路や物理的な媒体を省略することができる。また、遠隔地の消費者であっても、所望の映像・オーディオソフトを容易に入手することができる。さらに、コンテンツ制作・提供業者側の立場では、迅速且つ効率的なコンテンツ販売によってより高い利益をあげることにより、コンテンツ制作意欲が増し、業界全体の発展にもつながる。
【０００５】
例えば、テレビ受信機が大容量のハード・ディスク装置を内蔵していることを前提としたサーバ型・蓄積型の放送システムにおいては、映画などのコンテンツを、放送局やその他のコンテンツ配信業者において暗号化 して配信し、コンテンツ購入者すなわち視聴者に対して暗号解読用の鍵を配布時に課金することによって確実に利益を確保することができる。
【０００６】
そして、暗号化されたデジタルデータとして提供される映像コンテンツやオーディオコンテンツを配信する場合、送信側において、暗号化されたデータを復号化し、送信時に再び送信されるコンテンツデータが伝送される伝送系にて有効な暗号化処理を上記復号した平文のデータに施して受信側に伝送を行い、受信側がそのデータをその伝送時のみ有効な復号を行うことにより、受信側が平文のデータを安全に得るようにしている。
【０００７】
上記暗号化処理の手法としては、送信対象のファイルにダミーファイルを付加して送信し、受信側でそのダミーファイルを特定できるようにする暗号化手法（例えば、特許文献１−２参照）、データに他のデータを挿入して暗号化して送信し、受信側で復号化後、挿入されたデータを除去する暗号化手法（例えば、特許文献３参照）、暗号化時に施されたトリックに関する情報を鍵に持たせて復号化時にそのトリックによって付加されたダミーデータを除去できるようにした暗号化手法（例えば、特許文献４参照）など、暗号化強度を高めることを目的とした各種手法が提案されている。
【０００８】
ここで、例えば図４に示すように、従来のデータ伝送システム１００において実行されている通常のデータ伝送方法では、平文の形で生成されたオリジナルのデータＣ１１は、配布時には安全にアクセスされるように一つ或いは複数の暗号化技術を用いて暗号化され、例えば鍵Ｋ１１を用いて暗号化されたデータＣ１１・Ｋ１１として送信機１１０に供給される(ステージＳ１１)。        
上記ステージＳ１１で暗号化されたデータＣ１１・Ｋ１１は、送信機１１０内部で安全に復号化され、平文の再生用データＣ１１とされる(ステージＳ１２)。
【０００９】
データの伝送時には安全に伝送を行うために、上記送信機１１０内部で生成された平文の再生用データＣ１１は、送信機１１０及び受信機１２０の間で処理可能な共通な暗号化技術を用いて再び暗号化され、例えば鍵Ｋ１２を用いて再暗号化された伝送用データＣ１１・Ｋ１２とされる(ステージＳ１３)。そして、この再暗号化された伝送用データＣ１１・Ｋ１２が受信機１２０に送られる。
【００１０】
このように伝送時のデータＣ１１・Ｋ１２は、暗号化されているので、外部に出力されても安全性が確保される。
【００１１】
受信機１２０は、受け取った伝送用データＣ１１・Ｋ１２を伝送時に施された暗号化技術すなわち鍵Ｋ１２を用いて復号化することにより(ステージＳ１４)、受信機１２０内部で平文の再生用データＣ１１を得ることができる。
【００１２】
このようにして得られる平文の再生用データＣ１１を受信機１２０側で再生する(ステージＳ１５)ことが可能になり、データの安全性が確保された形でデータの伝送が行われたことになる。
【００１３】
例えば、図５に示すように、送信機１１０側において、暗号化されたデータＣ１１・Ｋ１１を復号化することにより得られた平文の再生用データＣ１１（オリジナルのデータＣ１１と同じ）を例えば［ＡＢＣＤ００ＥＦＧＨＩ００ＪＫ］とする。
【００１４】
そして、送信機１１０側において、上記復号化された平文の再生用データＣ１１すなわち［ＡＢＣＤ００ＥＦＧＨＩ００ＪＫ］から鍵Ｋ１２を用いて再暗号化した伝送データＣ１１・Ｋ１２例えば［ＺＹＸＷＶＵＴＳＲＱＰＯＮＭＬ］を生成し、受信機１２０に送信する。
【００１５】
受信機１２０側では伝送データＣ１１・Ｋ１２すなわち［ＺＹＸＷＶＵＴＳＲＱＰＯＮＭＬ］を復号化することにより平文の再生用データＣ１１すなわち［ＡＢＣＤ００ＥＦＧＨＩ００ＪＫ］が得られる。
【００１６】
【特許文献１】特開２００２−３２８６０３号公報
【特許文献２】特開２００１−１４２３９６号公報
【特許文献３】特開２００１−３０５９５４号公報
【特許文献４】特開平１０−４９０４８号公報
【発明の開示】
【発明が解決しようとする課題】
【００１７】
ところで、暗号化されたデータを復号化し、送信時に再び伝送系にて有効な暗号化処理を施して受信側に伝送を行い、受信側が伝送されたデータを各伝送時のみ有効な復号化を行うことにより、受信側が平文を安全に得るようにしている上述の如きデータ伝送システム１００においては、次のような問題が起こることが指摘されている。従来実行されている通常のデータ伝送方法では、悪意のある受信機１２０が上記ステージＳ１１で得られる平文の再生用データＣ１１と上記再生用データＣ１１に対応する上記ステージ１１で配布されるデータＣ１１・Ｋ１１を大量に入手することで、ステージ１１にて施された暗号化に使用された暗号鍵Ｋ１１を割り出すことが可能となるという点である。このため、上記ステージＳ１１における暗号化技術の強度を下げてしまう危険性があるというものである。
【００１８】
そこで、本発明の目的は、上述の如き従来の問題点に鑑み、受信機の安全性が損なわれた際もオリジナルのデータに対する暗号化技術を保護できるようにすることにある。
【課題を解決するための手段】
【００１９】
本発明では、フォーマット準拠でアクセス、デコードする機器に対して互換性をたもちつつ暗号化伝送時に一部のデータを加工することにより、相互の暗号化システムの依存性をなくし暗号化強度の独立性を保持する。
【００２０】
すなわち、本発明は、入力される第１の暗号化方式で暗号化されたソースデータを受信装置が復号可能なデータ形式で伝送するデータ伝送方法であって、上記入力されるソースデータに施された第１の暗号化方式の暗号を復号するステップと、上記ステップで復号されたソースデータの所定の位置のデータに所定の処理を行うステップと、上記受信装置が復号可能なデータ形式に上記所定の位置のデータに所定の処理が行われたソースデータを上記第１の暗号化方式とは異なる第２の暗号化方式で暗号化するステップと、上記第２の暗号化方式で暗号化されたデータを上記受信装置へ送信するステップとを有することを特徴とする。
【００２１】
また、本発明は、入力される第１の暗号化方式で暗号化されたソースデータを受信装置が復号可能なデータ形式で伝送するデータ伝送装置であって、上記入力されるソースデータに施された第１の暗号化方式の暗号を復号する復号手段と、上記復号手段で復号されたソースデータの所定の位置のデータに所定の処理を行うデータ処理手段と、上記受信装置が復号可能なデータ形式に上記所定の位置のデータに所定の処理が行われたソースデータを上記第１の暗号化方式とは異なる第２の暗号化方式で暗号化する暗号化手段と、上記第２の暗号化方式で暗号化されたデータを上記受信装置へ送信する送信手段とを備えることを特徴とする。
【００２２】
さらに、本発明は、入力される暗号化されたソースデータに施された第１の暗号化方式の暗号を復号し、上記復号されたソースデータの所定の位置のデータに所定の処理を行ったのち、上記所定の処理が行われたソースデータを上記第１の暗号化方式とは異なる第２の暗号化方式で暗号化して送信された暗号化再生データを受信して再生するデータ受信装置であって、上記暗号化再生データを受信する受信手段と、上記ソースデータを再生する再生手段と、上記受信手段で受信された暗号化再生データの暗号を復号する復号手段と、上記復号手段で復号された再生データの一部に施された所定の処理を検出する検出手段と、上記検出手段により検出された処理部分に上記再生手段が再生可能な上記ソースデータに略同一の再生データを生成して上記再生手段に供給する再生データ補完手段とを備えることを特徴とする。
【発明の効果】
【００２３】
本発明によれば、送信側おいて、暗号化されたデータを復号化し、送信時に再びその伝送系にて有効な暗号化処理を施して送信側から受信側に伝送するにあたり、予約領域などの未使用領域を持つフォーマット準拠の平文データに対して、復号側で必要とならない一部のデータを加工し、加工された平文データを再び暗号化して受信側に伝送するので、元々の暗号化技術の強度を危険にさらすことなく、安全にフォーマットに準拠した形でデータの伝送を実現できる。
【発明を実施するための最良の形態】
【００２４】
以下、本発明の実施の形態について、図面を参照して詳細に説明する。
【００２５】
本発明は、例えば図１に示すような構成のデータ伝送システム５０に適用される。
【００２６】
このデータ伝送システム５０は、例えば、暗号化されたデジタルデータとして提供される映像コンテンツやオーディオコンテンツを配信するシステムを構築するものであって、暗号化されたデータを復号化し、送信時に再び伝送系にて有効な暗号化処理を施して受信側に伝送する送信機１０と、上記送信機１０から送られたデータを受信して、受信したデータを各伝送時のみ有効な復号化を行うことにより平文を得る受信機２０により構成されている。
【００２７】
送信機１０は、暗号化されたオリジナルデータから平文の再生用データを生成する復号化処理を行う復号化処理部１１と、この復号化処理部１１により生成された平文の再生用データに対して、一部のデータを加工して、加工された平文の再生用データに、少なくとも一つの暗号化技術を用いて暗号化処理を施す再暗号化処理部１２とを備えている。
【００２８】
受信機２０は、上記送信機１０から送られてきた伝送データから平文の再生用データを生成する復号化処理を行う復号化処理部２１と、この復号化処理部２１により生成された平文の再生用データを再生する再生処理部２２からなる。
【００２９】
このデータ伝送システム５０における送信機１０は、暗号化されたオリジナルデータから復号化処理部１１により復号化した平文の再生用データを生成し、上記平文の再生用データに対して、再暗号化処理部１２により、一部のデータを加工して、加工した平文の再生用データに、少なくとも一つの暗号化技術を用いて暗号化処理を施し、再暗号化した伝送データを受信機２０側に伝送する。
【００３０】
そして、受信機２０では、上記送信機１０により再暗号化された伝送データに対して復号化処理部２１で復号化処理を施すことにより、加工された平文の再生用データを生成し、この加工された平文の再生用データを再生処理部２２で再生する。
【００３１】
このデータ伝送システム５０では、予約領域などの未使用領域を持つフォーマット準拠のデータに対して一つ或いは複数の暗号化技術を用いて暗号化されたデータを復号化し、送信時に再びその伝送系で有効な暗号化処理を施して受信側に伝送を行い、受信側が受信したデータを各々の伝送時のみ有効な復号化を行うことにより、受信側が平文を安全に得るようにする。
【００３２】
ここで、このデータ伝送システム５０における各ステージでのデータ処理及びその状態について図２を参照して説明する。
【００３３】
このデータ伝送システム５０において、平文の形で生成されたオリジナルのデータＣ１は、配布時には安全にアクセスされるように一つ或いは複数の暗号化技術を用いて暗号化され、例えば鍵Ｋ１を用いて暗号化されたデータＣ１・Ｋ１として送信機１０に供給される(ステージＳ１)。
【００３４】
上記ステージＳ１で暗号化されたデータＣ１・Ｋ１は、送信機１０内部で安全な形で復号化処理部１１により復号化され、平文の再生用データＣ１とされる(ステージＳ２)。
【００３５】
そして、送信機１０側では、データの伝送時に安全に伝送を行うために、上記ステージＳ２で復号化した平文の再生用データＣ１は、再暗号化処理部１２において、再暗号化するに際して、一部のデータを加工する処理を施すことにより、加工された平文の再生用データＣ１’とされる（ステージＳ３）。
【００３６】
上記加工された平文の再生用データＣ１’が送信機１０及び受信機２０の間で処理可能な共通な暗号化技術を用いて上記再暗号化処理部１２により再び暗号化され、例えば鍵Ｋ２を用いて再暗号化された伝送用データＣ１’・Ｋ２とされる(ステージＳ４)。
【００３７】
具体的には、上記ステージＳ３において、フォーマットに準拠した再生用データのうち、予約領域などの使用されていない領域のデータを変更または削除ナノ加工を行い、ステップＳ４において伝送のための再暗号化を行う。この再暗号化された伝送用データＣ１’・Ｋ２が受信機２０に送られる。
【００３８】
このように伝送時のデータＣ１’・Ｋ２は暗号化されているので、外部に出力されても安全性が確保される。
【００３９】
受信機２０は受け取った伝送用データＣ１’・Ｋ２を伝送時に施された暗号化技術すなわち鍵Ｋ２を用いて復号化処理部２１で復号化することにより(ステージＳ５)、受信機２０内部で加工された平文の再生用データＣ１’を得ることができる。
【００４０】
受信機２０側は、このようにして得られる平文の再生用データＣ１’を再生可能に構成されている(ステージＳ６)。
【００４１】
すなわち、このデータ伝送システム５０において、データの安全性が確保された形でデータの伝送が行われたことになる。
【００４２】
ここで、受信機２０側の復号化処理部２１では、伝送時に有効となる復号化処理を施して、送られてきた伝送用データＣ１’・Ｋ２から平文の再生用データＣ１’を得ることができる。送られてこなかった部分に関しては適当な値を補完する処理を必要に応じて施す。ここで得られたデータは元々の平文とは完全に一致はしないが、フォーマットには準拠しているので問題なく再生なの処理ができる。
【００４３】
このデータ伝送システム５０では、悪意のある受信機２０が元々の暗号化されたデータＣ１・Ｋ１を何らかの方法で得ることができたとしても、伝送用データＣ１’・Ｋ２からは加工された平文の再生用データＣ１’しか得られず、完全な暗号文Ｃ１・Ｋ１と平文Ｃ１の組を得ることはできない。上記加工された平文の再生用データＣ１’は、オリジナルデータＣ１に対して上記ステージＳ１において施された鍵Ｋ１を用いた暗号化技術を解析する材料となることがなく、上記ステージＳ１におけるオリジナルのデータＣ１に対する暗号化技術の強度を下げてしまう虞がなくなる。
【００４４】
ここで、このデータ伝送システム５０の各ステージにおけるデータの処理の具体例について、図３を参照して説明する。
【００４５】
このデータ伝送システム５０において、送信機１０側において、暗号化されたデータＣ１・Ｋ１を復号化することにより得られた平文の再生用データＣ１（オリジナルのデータＣ１と同じ）を例えば［ＡＢＣＤ００ＥＦＧＨＩ００ＪＫ］とする。ここで、この平文の再生用データＣ１のフォーマットでは、データ［ＡＢＣＤ］とデータ［ＥＦＧＨＩ］間及びデータ［ＥＦＧＨＩ］とデータ［ＪＫ］間にそれぞれ予約領域のデータ［００］が存在している。
【００４６】
本願発明を適用したこのデータ伝送システム５０では、送信機１０側の再暗号化処理部１２において、上記復号化された平文の再生用データＣ１すなわち［ＡＢＣＤ００ＥＦＧＨＩ００ＪＫ］に対して、データ［ＡＢＣＤ］とデータ［ＥＦＧＨＩ］間及びデータ［ＥＦＧＨＩ］とデータ［ＪＫ］間にそれぞれ存在して予約領域の各データ［０］をランダムにデータ［１］に変更する加工処理を施すことにより、加工された平文の再生用データＣ１’例えば［ＡＢＣＤ１０ＥＦＧＨＩ１１ＪＫ］を生成する。当然ながら、この処理は受信機２０に知られることなく行われる必要がある。そして、この加工された平文の再生用データＣ１’すなわち［ＡＢＣＤ１０ＥＦＧＨＩ１１ＪＫ］から鍵Ｋ２を用いて再暗号化した伝送データＣ１’・Ｋ２例えば［ＫＪＨＧＦＥＤＣＢＡＺＹＸＷ］を生成し、受信機２０に送信する。
【００４７】
受信機２０側の復号化処理部２１では、伝送データＣ１’・Ｋ２すなわち［ＫＪＨＧＦＥＤＣＢＡＺＹＸＷ］に対して復号化処理を施すことにより、加工された平文の再生用データＣ１’すなわち［ＡＢＣＤ１０ＥＦＧＨＩ１１ＪＫ］が得られる。この加工された平文の再生用データＣ１’すなわち［ＡＢＣＤ１０ＥＦＧＨＩ１１ＪＫ］は、当然、本来伝送されるべきデータであるオリジナルデータＣ１すなわち［ＡＢＣＤ００ＥＦＧＨＩ００ＪＫ］とは異なるが、異なる部分はフォーマット準拠で処理する上では使用されない予約領域の部分であるため、受信機２０の再生処理部２２では、問題なくこれを処理することができる。
【００４８】
また、他の実施例として送信機１０にてコンテンツを再生するときに影響しない所定のフォーマット上での予約領域の一部が削除されて送信されている場合には、受信機２０側の復号化処理部２１では削除されている予約領域を検出し、削除されたデータを装填するダミーデータを挿入して再生処理部２２に入力し、コンテンツの再生を行うようにしてよい。
【００４９】
このように受信機２０内で得られる再生用データＣ１’が送信機１０に入力される鍵Ｋ１によって暗号化されたオリジナルデータＣ１と異なったデータとすることで、悪意ある受信機２０において、再生用データＣ１’と上記再生用データＣ１’に対応する暗号化されたオリジナルデータＣ１・Ｋ１の組を大量に収集できたとしても、暗号化されたオリジナルデータを生成するときに利用された鍵Ｋ１を再生用データＣ１’と暗号化されたオリジナルデータＣ１・Ｋ１からは導出することが困難となり、オリジナルのデータＣ１に対する暗号化技術を保護することができる。
【００５０】
このデータ伝送システム５０では予約領域をランダムな形で変更する方式を示したが、この予約領域のデータを伝送時に削除し、受信機２０側で適当なデータを付加する方式を採用しても同等の効果を得ることができる。
【００５１】
また、伝送データの種類によっては、許容範囲内でデータ部分に加工を施すようにすることもできる。
【００５２】
すなわち、伝送データが音声データの場合は、データ部分を加工したり除去すると、その部分が再生出力に影響を顕著に及ぼしてしまうことになるが、例えば映像データの場合、データ部分に加工を施しても、その加工部分が再生画像であまり目立たない。画像の空間的あるいは時間的な相関性を強い画像では、例えば連続する複数フレーム毎に１フレームを除去する等の加工を施しても、その加工部分が再生画像であまり目立つことがなく、また、除去されたフレームの画像のデータをその前後のフレームの画像のデータで補完することも比較的に簡単に行うことができる。
【００５３】
さらに専用に再生時には影響しないランダムデータを置く領域を持っているフォーマットにおいては、オリジナルデータを暗号化する際にもその領域のデータを書き換えることができる。これにより、オリジナルデータが何らかの理由により、衆知のものとなってしまってもその暗号化技術との依存関係はない。
【００５４】
現代暗号技術では極僅かな違いであっても、その暗号化の結果は大きく異なるので、この処理によって元々の暗号化技術の依存関係をなくし、相互の暗号化技術の強度を保持したまま安全にデータの伝送を行うことができる。
【図面の簡単な説明】
【００５５】
【図１】本発明が適用されるデータ伝送システムの構成を示すフロック図である。
【図２】上記データ伝送システムにおいて実行されるデータ伝送方法におけるそれぞれのステージにおけるデータ処理及びその状態を模式的に示す図である。
【図３】上記データ伝送方法の各ステージにおけるデータの処理の具体例を模式的に示す図である。
【図４】従来のデータ伝送システムにおいて実行されるデータ伝送方法におけるそれぞれのステージにおけるデータ処理及びその状態を模式的に示す図である。
【図５】従来のデータ伝送方法の各ステージにおけるデータの処理の具体例を模式的に示す図である。
【符号の説明】
【００５６】
１０  送信機、１１  復号化処理部、１２  再暗号化処理部、２０  受信機、２１  復号化処理部、２２  再生処理部、５０  データ伝送システム、Ｃ１  オリジナルデータ、Ｃ１・Ｋ１  暗号化されたオリジナルデータ、Ｃ１’  加工された平文の再生用データ、Ｃ１’・Ｋ２  伝送用データ、Ｋ１，Ｋ２  鍵
【図１】
2005151529.tif 000003
【図２】
2005151529.tif 000004
【図３】
2005151529.tif 000005
【図４】
2005151529.tif 000006
【図５】
2005151529.tif 000007